(57)【要約】【課題】デジタルテレビ放送中継装置における周波数特性を任意に補正できるようにする。【解決手段】送信変換ユニット１５ａ、１５ｂのＩＦ段に周波数特性補正回路８６を設ける。この周波数特性補正回路８６は、例えば信号を通過させるパス（ＰＡＳＳ）回路９１ａ〜９１ｄと、１ｄＢ、２ｄＢ、４ｄＢ、８ｄＢのアッテネータ（ＡＴＴ）９２ａ〜９２ｄと、０．５ｄＢ、１ｄＢの擬似線路網（ＢＯＮ）９３ａ、９３ｂと、０．５ｄＢ、１ｄＢのイコライザ（ＥＱ）９４ａ、９４ｂからなり、上記パス回路９１ａ〜９１ｄ、アッテネータ９２ａ〜９２ｄ、擬似線路網９３ａ、９３ｂ、イコライザ９４ａ、９４ｂをスイッチにより任意に切替えて周波数特性を補正できるように構成する。【選択図】      図４
2007158812.tif 000002
【特許請求の範囲】
【請求項１】
デジタルテレビ放送を各チャンネル別に受信し、高周波増幅部で増幅した後、周波数変換部で中間周波信号に変換する受信変換ユニットと、前記受信変換ユニットで変換された中間周波信号を中間周波増幅部で増幅し、周波数変換部で高周波信号に変換して出力する送信変換ユニットとからなるデジタルテレビ放送中継装置において、
前記受信変換ユニット及び送信変換ユニットは、それぞれ信号を増幅する増幅部のゲインを調整するゲインコントロール回路と、前記増幅部で増幅される信号のレベルを検知する信号レベル検知部と、前記信号レベル検知部により検知された信号レベルに基づいて前記ゲインコントロール回路を制御して信号レベルを一定に保持するマイクロコンピュータとを具備することを特徴とするデジタルテレビ放送中継装置。
【請求項２】
前記受信変換ユニットは、高周波信号を増幅する高周波部及び中間周波信号を増幅する中間周波部にゲインコントロール回路を設け、高周波信号の入力が予め設定したレベルより低い範囲では中間周波部のゲインコントロール回路を制御して信号レベルを制御し、高周波信号の入力が予め設定したレベルより高い範囲では前記高周波増幅部及び中間周波部のゲインコントロール回路の両方を制御して信号レベルを制御することを特徴とする請求項１に記載のデジタルテレビ放送中継装置。
【請求項３】
前記受信変換ユニット及び送信変換ユニットの何れか一方あるいは両方に、少なくとも擬似線路網及びイコライザからなる周波数特性補正回路を設けたことを特徴とする請求項１又は２に記載のデジタルテレビ放送中継装置。
【発明の詳細な説明】
【技術分野】
【０００１】
本発明は、地上デジタルテレビ放送を中継するデジタルテレビ放送中継装置に関する。
【背景技術】
【０００２】
地上デジタルテレビ放送では、例えばＵＨＦ等の周波数の高い電波が使用されている。ＵＨＦ等の高い周波数の電波は、回折が殆どなく高いビルや山などの障害物があると電波が遮られてしまい、サービスエリアの一部に電波を受信し難い地域を生じる。
【０００３】
このような難視聴地域を無くすため、あるいは遠方の地域に放送電波を届けるため、ビルの屋上や山の頂上等にテレビ放送中継装置を設置し、送信局からの電波を受信アンテナで受信し、増幅した後、送信アンテナにより難視聴地域あるいは次の中継局へ向けて再送信している（例えば、特許文献１参照。）。
【特許文献１】特開２０００−１５１５５２号公報
【発明の開示】
【発明が解決しようとする課題】
【０００４】
上記デジタルテレビ放送中継装置は、各ユニット毎に帯域内の偏差（傾き）が規定されている。デジタルテレビ放送中継装置では、標準仕様書により、各ユニットの偏差をｆc（搬送波周波数）±２．７９ＭＨｚにおいて、１．５ｄＢｐ−ｐ以内にすることと規定されている。
【０００５】
従来では一般に上記標準仕様書で規定されている条件を満足するように各ユニットを製作しており、特に周波数特性補正手段は備えていない。
【０００６】
上記従来のように各ユニットの偏差が規定値以内となるように製作した場合でも、ユニットの組み合わせによっては偏差が規定値より大きくなってしまう場合がある。しかし、従来のデジタルテレビ放送中継装置では、周波数特性補正手段を備えていないので、ユニットの組み合わせによって偏差が規定値より大きくなってしまった場合には、規定されている条件を満足するように回路を調整することは困難である。
【０００７】
本発明は上記の課題を解決するためになされたもので、ユニットを組み合わせることによって偏差が規定値より大きくなってしまった場合でも、偏差が規定値内となるように補正できるデジタルテレビ放送中継装置を提供することを目的とする。
【課題を解決するための手段】
【０００８】
第１の発明は、デジタルテレビ放送を各チャンネル別に受信し、高周波増幅部で増幅した後、周波数変換部で中間周波信号に変換する受信変換ユニットと、前記受信変換ユニットで変換された中間周波信号を中間周波増幅部で増幅し、周波数変換部で高周波信号に変換して出力する送信変換ユニットとからなるデジタルテレビ放送中継装置において、前記受信変換ユニット及び送信変換ユニットは、それぞれ信号を増幅する増幅部のゲインを調整するゲインコントロール回路と、前記増幅部で増幅される信号のレベルを検知する信号レベル検知部と、前記信号レベル検知部により検知された信号レベルに基づいて前記ゲインコントロール回路を制御して信号レベルを一定に保持するマイクロコンピュータとを具備することを特徴とする。
【０００９】
第２の発明は、前記第１の発明に係るデジタルテレビ放送中継装置において、前記受信変換ユニットは、高周波信号を増幅する高周波部及び中間周波信号を増幅する中間周波部にゲインコントロール回路を設け、高周波信号の入力が予め設定したレベルより低い範囲では中間周波部のゲインコントロール回路を制御して信号レベルを制御し、高周波信号の入力が予め設定したレベルより高い範囲では前記高周波増幅部及び中間周波部のゲインコントロール回路の両方を制御して信号レベルを制御することを特徴とする。
【００１０】
第３の発明は、前記第１又は第２の発明に係るデジタルテレビ放送中継装置において、前記受信変換ユニット及び送信変換ユニットの何れか一方あるいは両方に、少なくとも擬似線路網及びイコライザからなる周波数特性補正回路を設けたことを特徴とする。
【発明の効果】
【００１１】
本発明によれば、ゲインコントロール回路をＲＦ段とＩＦ段に分割して実装し、マイクロコンピュータによりＲＦ信号の入力レベルに応じてＡＧＣ制御することにより、広いＡＧＣ範囲を精密に制御することができ、雑音指数、相互変調歪みの劣化を確実に抑えることができる。また、ＡＧＣループ後にゲインコントロール回路を設け、可変抵抗器によりＡＧＣレベルを設定することにより、ＡＧＣ制御を微細調整することができる。
【００１２】
また、パス回路、アッテネータ、擬似線路網、イコライザにより周波数特性補正回路を構成し、各素子をスイッチにより任意に切替え接続できるようにしたので、回路の周波数特性を任意に補正することができる。従って、複数のユニットの組み合わせによって周波数偏差が規定値より大きくなるような場合でも、周波数特性補正回路によって偏差が規定値内となるように調整することができる。
【発明を実施するための最良の形態】
【００１３】
以下、図面を参照して本発明の一実施形態を説明する。  
図１は、本発明の一実施形態に係るデジタルテレビ放送中継装置の１チャンネル分の構成を示すブロック図である。デジタルテレビ放送中継装置全体では、図１に示す回路がｎチャンネル分設けられる。
【００１４】
図１において、１１ａ、１１ｂはＲＦ入力端子で、受信アンテナ（図示せず）で受信したテレビ放送波が入力される。上記ＲＦ入力端子１１ａ、１１ｂは、一方が現用系、他方が予備系となっている。このＲＦ入力端子１１ａ、１１ｂに入力された受信信号は、それぞれ入力フィルタ１２ａ、１２ｂを介して送受信ユニット１３へ送られる。上記入力フィルタ１２は、地上デジタルテレビ放送、例えば４７０ＭＨｚ〜７７０ＭＨｚのＵＨＦ−ＴＶ帯域中の任意チャンネル（帯域６ＭＨｚ）を選択して出力する。
【００１５】
上記送受信ユニット１３は、受信変換ユニット１４ａ、１４ｂと送信変換ユニット１５ａ、１５ｂにより構成されている。受信変換ユニット１４ａ、１４ｂは、予め設定されたチャンネルのテレビ放送波を受信するもので、入力フィルタ１２ａ、１２ｂにより選択されたＲＦ信号（高周波信号）をＩＦ信号（中間周波信号）に変換して増幅し、それぞれ送信変換ユニット１５ａ、１５ｂへ出力する。この送信変換ユニット１５ａ、１５ｂは、受信変換ユニット１４ａ、１４ｂから送られてくるＩＦ信号の周波数特性を補正してＲＦ信号、例えば元のチャンネルのＲＦ周波数に変換し、増幅して出力する。
【００１６】
上記送信変換ユニット１５ａ、１５ｂから出力される特定チャンネルのＲＦ信号は、それぞれ電力増幅器１６ａ、１６ｂにより増幅された後、切替器１７により一方の信号が選択され、出力フィルタ１８を介してＲＦ出力端子１９へ送られる。上記２つの信号系統は、一方が現用系、他方が予備系として使用されるもので、切替器１７によって切替えられる。切替器１７は、現用系に故障等が生じた場合に予備系に切替える。切替器１７によって選択された電力増幅器１６ａあるいは電力増幅器１６ｂの出力信号は、出力フィルタ１８を介してＲＦ出力端子１９へ送られる。
【００１７】
そして、上記各チャンネル別のＲＦ出力端子１９から出力されるＲＦ信号は、図示しないが共用器を介して送信アンテナへ送られ、次のテレビ中継局等へ向けて送信される。
【００１８】
次に、上記送受信ユニット１３に設けられる受信変換ユニット１４ａ、１４ｂ及び送信変換ユニット１５ａ、１５ｂの詳細な構成について説明する。
【００１９】
［受信変換ユニットの構成］
先ず、受信変換ユニット１４ａ、１４ｂの詳細な構成について図２及び図３を参照して説明する。なお、受信変換ユニット１４ａ、１４ｂは同様の構成である。
【００２０】
図２は受信変換ユニット１４ａ（１４ｂ）の主要部の構成を示すブロック図、図３は他の部分の構成を示すブロック図である。  
図２において、２１はＲＦ入力端子で、上記図１の入力フィルタ１２で選択された所定チャンネルのＴＶ信号が入力される。このＲＦ入力端子２１に入力された信号は、高周波増幅器２２、分岐回路２３、第１ゲインコントロール回路（ＧＣ）２４、高周波増幅器２５、第２ゲインコントロール回路（ＧＣ）２６、イコライザ２７からなるＲＦ段を介してミキサ２８の一方の入力端子に入力される。
【００２１】
また、上記高周波増幅器２２で増幅されたＲＦ信号は、分岐回路２３により所定レベル減衰して分岐され、増幅器３０で増幅されて信号レベル検知部３１に入力される。上記増幅器３０は、分岐回路２３で分岐された信号を高周波増幅器２２の出力信号レベルとほぼ同等のレベルまで増幅する。信号レベル検知部３１は、例えば振幅検波回路及び対数増幅器により構成される。振幅検波回路は、分岐回路２３から増幅器３０を介して入力されるＲＦ信号を振幅検波し、ＲＦ信号の振幅レベルを直流レベルに変換して出力する。対数増幅器は、振幅検波回路から出力される直流レベルの信号を対数処理し、入力レベルと出力レベルが直線的な関係で表せるように処理する。
【００２２】
上記のように信号レベル検知部３１は、高周波増幅器２２の出力信号レベルを検知し、直流電圧に変換して出力する。この信号レベル検知部３１で検知された信号レベルは、マイクロコンピュータ（以下、マイコンと略称する）３２へ送られる。
【００２３】
また、上記第１ゲインコントロール回路２４は、例えばピンダイオードにより構成され、マイコン３２から出力されるＡＧＣ制御信号が直流増幅器３３、ドライバ（ＤＲＶ）３４を介して入力される。また、第２ゲインコントロール回路２６は、第１ゲインコントロール回路２４と同様にピンダイオードにより構成され、マイコン３２から出力されるＡＧＣ制御信号が直流増幅器３５、ドライバ（ＤＲＶ）３６を介して入力される。すなわち、第１、第２ゲインコントロール回路２４、２６は、マイコン３２から出力されるＡＧＣ制御信号によって減衰量が調整され、ＲＦ段の出力信号、すなわちミキサ２８に入力されるＲＦ信号を一定に保持する。また、上記イコライザ２７は、ＲＦ段における所定チャンネルの周波数特性を補正する。
【００２４】
また、上記ミキサ２８の他方の入力端子には、局部発振回路３８から出力される局部発振信号がアッテネータ３９を介して入力される。局部発振回路３８は、例えばＰＬＬ（Phase-Locked Loop）回路３８１、水晶発振素子３８２、デジタル信号発生器３８３、電圧制御発振器（ＶＣＯ：Voltage Controlled Oscillator）３８４により構成され、制御部（図示せず）から入力端子３７に入力される例えば１０ＭＨｚの基準信号に基づき、各チャンネル毎に所定周波数の局部発振信号を出力する。
【００２５】
上記ミキサ２８は、イコライザ２７で周波数特性が補正されＲＦ信号と局部発振回路３８から送られてくる局部発振信号とを混合し、３７．１５ＭＨｚのＩＦ信号に変換する。ミキサ２８で周波数変換されたＩＦ信号は、ローパスフィルタ（ＬＰＦ）４１、中間周波増幅器４２、第３ゲインコントロール回路（ＧＣ）４３、中間周波増幅器４４、４５を介して出力される。上記第３ゲインコントロール回路４３は、例えばピンダイオードにより構成され、マイコン３２から出力されるＡＧＣ制御信号が直流増幅器４６及びドライバ（ＤＲＶ）４７を介して入力される。また、中間周波増幅器４２、４４、４５には、マイコン３２から増幅器オン／オフ信号がドライバ（ＤＲＶ）４８を介して入力される。マイコン３２は、信号レベル検知部３１により検知される信号レベルから受信信号の有無を監視しており、受信信号が無い場合、あるいは受信信号が予め設定したレベルより低い場合に中間周波増幅器４２、４４、４５をオフする。
【００２６】
そして、上記中間周波増幅器４５から出力されるＩＦ信号は、図３に示すようにＳＡＷフィルタ（Surface Acoustic Wave filter）５０、中間周波増幅器５１、５２、分岐回路５３、ローパスフィルタ（ＬＰＦ）５４、第４ゲインコントロール回路（ＧＣ）５５、中間周波増幅器５６、分岐回路５７、５８を介してＩＦ出力端子５９へ送られる。
【００２７】
上記ＳＡＷフィルタ５０は、３７．１５±２．７９ＭＨｚの中間周波信号を通過させる。中間周波増幅器５１、５２は、マイコン３２からドライバ（ＤＲＶ）６１を介して与えられる増幅器オン／オフ信号によって、上記中間周波増幅器４２、４４、４５と同様にオン／オフ制御される。
【００２８】
上記中間周波増幅器５２から出力されるＩＦ信号は、分岐回路５３によって信号の一部が分岐され、増幅器６２を介してＡＧＣ検波器６３に入力されて検波される。このＡＧＣ検波器６３で検波された信号は、直流増幅器６４で増幅されてマイコン３２へ送られる。マイコン３２は、ＡＧＣ検波器６３から直流増幅器６４を介して入力されるＡＧＣ用検波出力に基づいてＡＧＣ制御信号を出力し、ＲＦ段に設けた第１、第２ゲインコントロール回路２４、２６、及びＩＦ段に設けた第３ゲインコントロール回路４３の減衰量を調整してＡＧＣ制御動作を実行する。
【００２９】
この場合、マイコン３２は、ＲＦ信号の入力レベルが低い場合は、ＲＦ段の第１、第２ゲインコントロール回路２４、２６に対するＡＧＣ制御信号を一定に保持し、ＩＦ段の第３ゲインコントロール回路４３に対してのみ直流増幅器６４からのＡＧＣ検波出力に基づいてＡＧＣ制御信号を変化させて出力信号レベルを一定に保持する。ＲＦ信号の入力レベルが高い場合は、ＲＦ段における第１、第２ゲインコントロール回路２４、２６及びＩＦ段の第３ゲインコントロール回路４３の両方を制御して出力信号レベルを一定に保持する。
【００３０】
また、上記ＡＧＣループの後に設けられている第４ゲインコントロール回路５５には、ＡＧＣ調整用可変抵抗器６５により設定された出力レベル制御信号が直流増幅器６６及びドライバ（ＤＲＶ）６７を介して与えられる。上記第４ゲインコントロール回路５５は、上記出力レベル制御信号に基づいて所定レベルのＩＦ信号を出力する。上記ように可変抵抗器６５は、ＡＧＣループ後においてＡＧＣレベルを設定する。
【００３１】
また、上記可変抵抗器６５により調整された出力レベル制御信号は、マイコン３２へ送られて監視される。更に、中間周波増幅器５６には、マイコン３２から増幅器オン／オフ信号がドライバ（ＤＲＶ）６８を介して与えられ、上記中間周波増幅器４２、４４、４５と同様にオン／オフ制御される。
【００３２】
上記中間周波増幅器５６で増幅されたＩＦ信号は、分岐回路５７により信号の一部が分岐されて信号レベル検知部６９に入力される。この信号レベル検知部６９は、上記信号レベル検知部３１と同様の構成を有し、中間周波増幅器５６の出力信号レベルを検知し、直流電圧に変換して出力する。この信号レベル検知部６９で検知された信号レベルは、直流増幅器７０で増幅されてマイコン３２へ送られる。マイコン３２は、信号レベル検知部６９で検知された信号に基づいてＩＦ出力信号レベルを監視する。  
そして、上記中間周波増幅器５６から出力されるＩＦ信号は、分岐回路５８により信号の一部が分岐されてＩＦモニタ端子６０へ送られる。
【００３３】
［受信変換ユニットの動作］
上記の構成において、ＲＦ入力端子２１に入力されたＲＦ信号は、高周波増幅器２２で増幅され、分岐回路２３、第１ゲインコントロール回路２４、高周波増幅器２５、第２ゲインコントロール回路２６、イコライザ２７を介してミキサ２８へ送られる。
【００３４】
ミキサ２８は、イコライザ２７で周波数特性が補正されたＲＦ信号と、局部発振回路３８からアッテネータ３９を介して送られてくる局部発振信号と混合し、３７．１５ＭＨｚのＩＦ信号に変換する。ミキサ２８で変換されたＩＦ信号は、ローパスフィルタ４１、中間周波増幅器４２、第３ゲインコントロール回路４３、中間周波増幅器４４、４５、ＳＡＷフィルタ５０、中間周波増幅器５１、５２、分岐回路５３、ローパスフィルタ５４、第４ゲインコントロール回路５５、中間周波増幅器５６、分岐回路５７、５８を介してＩＦ出力端子５９へ送られる。
【００３５】
また、上記高周波増幅器２２で増幅されたＲＦ信号は、分岐回路２３で信号の一部が分岐され、増幅器３０を介して信号レベル検知部３１へ送られる。信号レベル検知部３１は、高周波増幅器２２から出力されるＲＦ信号のレベルを検知し、直流信号に変換してマイコン３２へ出力する。マイコン３２は、信号レベル検知部３１から送られてくる検知信号によってＲＦ入力信号の有無及び信号レベルを監視しており、指定チャンネルのＲＦ信号が受信されていない場合には、ＩＦ段に設けられている中間周波増幅器４２、４４、４５、５１、５２、５６をオフし、指定チャンネルのＲＦ信号が正常に受信されている場合には、中間周波増幅器４２、４４、４５、５１、５２、５６をオン動作させる。
【００３６】
また、マイコン３２は、ＡＧＣ検波器６３から直流増幅器６４を介して送られてくるＡＧＣ用検波出力に基づいてＡＧＣ制御を行なうが、上記信号レベル検知部３１により検知されたＲＦ入力信号のレベルが低い場合は、ＩＦ段の第３ゲインコントロール回路４３のみによってＡＧＣ制御を行ない、ＲＦ入力信号のレベルが予め設定されたレベルより高い場合は、ＲＦ段の第１、第２ゲインコントロール回路２４、２６及びＩＦ段の第３ゲインコントロール回路４３の両方でＡＧＣ制御を行なって出力信号レベルを一定に保持する。
【００３７】
そして、上記ＡＧＣのループ制御によって一定レベルに保持されたＩＦ信号は、中間周波増幅器５２から分岐回路５３及びローパスフィルタ５４を介して第４ゲインコントロール回路５５へ送られる。この第４ゲインコントロール回路５５は、可変抵抗器６５によって設定されるＡＧＣ出力レベル制御信号に基づいて所定レベルのＩＦ信号を出力する。このＩＦ信号は、中間周波増幅器５６で増幅された後、分岐回路５７、５８を介してＩＦ出力端子５９より出力される。
【００３８】
上記実施形態で示したように、ゲインコントロール回路をＲＦ段とＩＦ段に分割して実装し、マイコン３２によりＲＦ信号の入力レベルに応じてＡＧＣ制御することにより、広いＡＧＣ範囲を制御することができる。
【００３９】
標準仕様書には、受信変換ユニット１４ａ、１４ｂにおけるＡＧＣ応答範囲は、ＵＨＦ入力−８０〜−２７ｄＢｍの変動に対し、ＩＦ出力が−１０ｄＢｍ±３ｄＢ以下と規定されているが、上記したようにゲインコントロール回路をＲＦ段とＩＦ段に分割して実装することにより、上記標準仕様書に規定されているＡＧＣ応答範囲を十分に満足することができる。また、マイコン３２でゲインコントロール回路を制御することにより、ＡＧＣの制御範囲を細かく設定することができる。但し、マイコン３２は、ＡＧＣ検波電圧をビット認識しているので、ＡＧＣ出力レベルの微調整が困難である。このためＡＧＣレベルの設定は、ＡＧＣ調整用可変抵抗器６５を実装することにより微調整を可能としている。
【００４０】
［送信変換ユニットの構成］
次に、送信変換ユニット１５ａ、１５ｂの詳細な構成について図４及び図５を参照して説明する。なお、送信変換ユニット１５ａ、１５ｂは同様の構成である。
【００４１】
図４は送信変換ユニット１５ａ（１５ｂ）の主要部の構成を示すブロック図、図５は他の部分の構成を示すブロック図である。  
図４において、８１は入力端子で、上記受信変換ユニット１４ａ（１４ｂ）から出力される所定チャンネルのＩＦ信号が入力される。このＩＦ入力端子８１に入力されたＩＦ信号は、分岐回路８２、中間周波増幅器８３、ローパスフィルタ（ＬＰＦ）８４、第１ゲインコントロール回路（ＧＣ）８５、周波数特性補正回路８６からなるＩＦ段を介してミキサ８７の一方の入力端子に入力される。
【００４２】
上記周波数特性補正回路８６は、例えば信号を通過させるパス（ＰＡＳＳ）回路９１ａ〜９１ｄと、１ｄＢ、２ｄＢ、４ｄＢ、８ｄＢのアッテネータ（ＡＴＴ）９２ａ〜９２ｄと、０．５ｄＢ、１ｄＢの擬似線路網（ＢＯＮ：Building Out Network）９３ａ、９３ｂと、０．５ｄＢ、１ｄＢのイコライザ（ＥＱ：Equalizer）９４ａ、９４ｂからなり、上記パス回路９１ａ〜９１ｄ、アッテネータ９２ａ〜９２ｄ、擬似線路網９３ａ、９３ｂ、イコライザ９４ａ、９４ｂをスイッチ（図示せず）により任意に切替えて周波数特性を補正できるようになっている。
【００４３】
また、上記ＩＦ入力端子８１入力されたＩＦ信号は、分岐回路８２により分岐され、信号レベル検知部１０１に入力される。信号レベル検知部１０１は、例えば振幅検波回路及び対数増幅器により構成される。振幅検波回路は、分岐回路８２で分岐されたＩＦ信号を振幅検波し、ＩＦ信号の振幅レベルを直流レベルに変換して出力する。対数増幅器は、振幅検波回路から出力される直流レベルの信号を対数処理し、入力レベルと出力レベルが直線的な関係で表せるように処理する。
【００４４】
上記のように信号レベル検知部１０１は、前段回路から送られてくるＩＦ信号のレベルを検知し、直流電圧に変換して出力する。この信号レベル検知部１０１で検知された信号レベルは、マイクロコンピュータ（以下、マイコンと略称する）１０２へ送られる。
【００４５】
また、上記第１ゲインコントロール回路８５は、例えばピンダイオードにより構成され、マイコン１０２から出力されるＡＧＣ制御信号が直流増幅器１０３及びドライバ１０４を介して入力される。すなわち、第１ゲインコントロール回路８５は、マイコン１０２から出力されるＡＧＣ制御信号によってゲインが調整され、周波数特性補正回路８６から出力されるＩＦ信号を一定に保持する。
【００４６】
また、上記ミキサ８７の他方の入力端子には、局部発振回路１０６から出力される局部発振信号がアッテネータ１０７を介して入力される。局部発振回路１０６は、例えばＰＬＬ（Phase-Locked Loop）回路１０６１、水晶発振素子１０６２、デジタル信号発生器１０６３、電圧制御発振器（ＶＣＯ：Voltage Controlled Oscillator）１０６４により構成され、制御部（図示せず）から入力端子１０５に入力される例えば１０ＭＨｚの基準信号に基づき、各チャンネル毎に所定周波数の局部発振信号を出力する。
【００４７】
上記ミキサ８７は、周波数特性補正回路８６で周波数特性が補正されＲＦ信号と局部発振回路１０６から送られてくる局部発振信号とを混合し、３７．１５ＭＨｚのＩＦ信号を元のチャンネルのＲＦ信号に変換する。ミキサ２８で周波数変換されたＲＦ信号は、ローパスフィルタ（ＬＰＦ）１１０を介して取り出される。
【００４８】
そして、上記ローパスフィルタ１１０から出力されるＲＦ信号は、図５に示すように高周波増幅器１１１、チャンネル・バンドパスフィルタ（ＣＨ．ＢＰＦ）１１２、高周波増幅器１１３、分岐回路１１４、第２ゲインコントロール回路１１５、高周波増幅器１１６、分岐回路１１７、１１８を介してＲＦ出力端子１１９へ送られる。また、分岐回路１１８で分岐された信号は、ＲＦモニタ端子１２０へ送られる。
【００４９】
そして、上記高周波増幅器１１１、１１３、１１６には、マイコン１０２から増幅器オン／オフ信号がそれぞれドライバ１２１、１２２、１２３を介して入力される。マイコン１０２は、信号レベル検知部１０１により検知される信号レベルから受信信号の有無を監視しており、受信信号が無い場合、あるいは受信信号が予め設定したレベルより低い場合に高周波増幅器１１１、１１３、１１６をオフする。
【００５０】
また、高周波増幅器１１３から出力されるＲＦ信号は、分岐回路１１４によって信号の一部が分岐され、増幅器１２５を介してＡＧＣ検波器１２６に入力されて検波される。このＡＧＣ検波器１２６で検波された信号は、直流増幅器１２７で増幅されてマイコン１０２へ送られる。マイコン１０２は、ＡＧＣ検波器１２６から直流増幅器１２７を介して入力されるＡＧＣ用検波出力に基づいてＡＧＣ制御信号を出力し、ＩＦ段に設けた第１ゲインコントロール回路８５のゲインを調整し、その出力信号レベルを一定に保持する。
【００５１】
また、上記ＡＧＣループの後、すなわち、分岐回路１１４の後に設けられている第２ゲインコントロール回路１１５には、ＡＧＣ調整用可変抵抗器１２８により設定された出力レベル制御信号が直流増幅器１２９及びドライバ１３０を介して与えられる。上記第２ゲインコントロール回路１１５は、上記ＡＧＣ調整用可変抵抗器１２８により設定された出力レベル制御信号に基づいて所定レベルのＲＦ信号を出力する。上記ように可変抵抗器１２８は、ＡＧＣループ後においてＡＧＣレベルを設定する。また、上記可変抵抗器１２８により設定された出力レベル制御信号は、マイコン１０２へ送られて監視される。
【００５２】
上記第２ゲインコントロール回路１１５でレベル設定された信号は、高周波増幅器１１６で増幅されるが、その出力信号の一部が分岐回路１１７により分岐されて信号レベル検知部１３１に入力される。この信号レベル検知部１３１は、上記信号レベル検知部１０１と同様の構成を有し、高周波増幅器１１６の出力信号レベルを検知し、直流電圧に変換して出力する。上記信号レベル検知部１３１で検知された信号レベルは、直流増幅器１３２で増幅されてマイコン１０２へ送られる。マイコン１０２は、信号レベル検知部１３１で検知された信号に基づいてＲＦ出力信号レベルを監視する。  
そして、上記高周波増幅器１１６から出力されるＲＦ信号は、分岐回路１１７、１１８を介してＲＦ出力端子１１９へ送られると共に、分岐回路１１８で信号の一部が分岐されてＲＦモニタ端子１２０へ送られる。
【００５３】
［送信変換ユニットの動作］
上記の構成において、ＩＦ入力端子８１に入力されたＩＦ信号は、分岐回路８２を介して中間周波増幅器８３に入力され、増幅された後、ローパスフィルタ８４、第１ゲインコントロール回路８５を介して周波数特性補正回路８６へ送られる。
【００５４】
周波数特性補正回路８６は、パス回路９１ａ〜９１ｄと、アッテネータ９２ａ〜９２ｄ、あるいは擬似線路網９３ａ、９３ｂ、イコライザ９４ａ、９４ｂをスイッチ（図示せず）により切替えて周波数特性を補正する。
【００５５】
上記周波数特性補正回路８６におけるパス回路９１ａ〜９１ｄは、入力信号の周波数特性を補正することなく、そのまま出力する。  
アッテネータ９２ａ〜９２ｄは、単に入力信号のレベルを減衰させて出力する。  
また、擬似線路網９３ａ、９３ｂは、周波数特性が図５（ａ）に示すように低域のレベルが高く、高域のレベルが低い場合に、図５（ｂ）に示すように平坦な特性に改善する。図４に示す送信変換ユニット１５ａでは、１チャンネル分の周波数帯域「ｆｃ（搬送周波数）±２．７９ＭＨｚ」、すなわち「３７．１５ＭＨｚ（ｆｃ：ＩＦ周波数）±２．７９ＭＨｚ」の帯域特性を改善する。  
イコライザ９４ａ、９４ｂは、周波数特性が図６（ａ）に示すように低域のレベルが低く、高域のレベルが高い場合に、図６（ｂ）に示すように平坦な特性に改善する。
【００５６】
上記周波数特性補正回路８６は、１ｄＢ、２ｄＢ、４ｄＢ、８ｄＢのアッテネータ９２ａ〜９２ｄ、０．５ｄＢ及び１ｄＢの擬似線路網９３ａ、９３ｂ、０．５ｄＢ及び１ｄＢのイコライザ９４ａ、９４ｂをスイッチによって切替えることで、複数の周波数特性に対応することができる。
【００５７】
そして、上記周波数特性補正回路８６によって周波数特性が補正されたＩＦ信号は、ミキサ８７へ送られる。ミキサ８７は、上記周波数特性が補正されたＩＦ信号と、局部発振回路１０６からアッテネータ１０７を介して送られてくる局部発振信号と混合し、元のチャンネルのＲＦ信号に変換する。ミキサ８７で変換されたＲＦ信号は、ローパスフィルタ１１０、チャンネル・バンドパスフィルタ１１２、高周波増幅器１１３、分岐回路１１４、第２ゲインコントロール回路１１５、高周波増幅器１１６、分岐回路１１７、１１８、ＲＦ出力端子１１９を介して出力され、次段の電力増幅器１６ａ（１６ｂ）へ送られる。
【００５８】
また、上記ＩＦ入力端子８１に入力されたＩＦ信号は、分岐回路８２で信号の一部が分岐されて信号レベル検知部１０１へ送られる。信号レベル検知部１０１は、ＩＦ入力端子８１に入力されるＩＦ信号のレベルを検知し、直流信号に変換してマイコン１０２へ出力する。マイコン１０２は、信号レベル検知部１０１から送られてくる検知信号によってＩＦ入力信号の有無及び信号レベルを監視しており、指定チャンネルのＩＦ信号が入力されていない場合には、ＲＦ段に設けられている高周波増幅器１１１、１１３、１１６をオフし、また、指定チャンネルのＩＦ信号が正常に入力されている場合には、高周波増幅器１１１、１１３、１１６をオン動作させる。
【００５９】
また、マイコン１０２は、ＡＧＣ検波器１２６から直流増幅器１２７を介して送られてくるＡＧＣ用検波出力に基づいて第１ゲインコントロール回路８５のゲインを制御し、その出力信号レベルを一定に保持する。
【００６０】
そして、第２ゲインコントロール回路１１５は、可変抵抗器１２８によって設定されるＡＧＣ出力レベル制御信号に基づいて所定レベルのＲＦ信号を出力する。このＲＦ信号は、高周波増幅器１１６で増幅された後、分岐回路１１７、１１８を介してＲＦ出力端子１１９より出力される。
【００６１】
上記実施形態で示したように、ＩＦ段に第１ゲインコントロール回路８５を実装し、マイコン１０２によりＩＦ信号の入力レベルに応じてＡＧＣ制御し、また、ＡＧＣループ後に第２ゲインコントロール回路１１５を設け、可変抵抗器１２８によりＡＧＣレベルを設定することにより、精密なＡＧＣ制御と微調整が可能になる。標準仕様書には、送信変換ユニット１５ａ、１５ｂにおけるＡＧＣ応答範囲は、ＩＦ入力−１０ｄＢｍ±５ｄＢの変動に対し、ＵＨＦ出力が±０．４ｄＢ以内と規定されているが、この標準仕様書に規定されている送信変換におけるＡＧＣ応答範囲を十分に満足することができる。更に、上記ＡＧＣの動作を最適化することにより、雑音指数、相互変調歪みの劣化を確実に抑えることができる。
【００６２】
また、ＩＦ段に周波数特性補正回路８６を設けることにより、周波数特性を任意に補正でき、各ユニットを組み合わせることによって周波数偏差が規定値より大きくなるような場合でも、偏差が規定値内となるように調整することができる。  
また、ＩＦ入力端子８１からミキサ８７の間は、必ず所定のＩＦ周波数（３７．１５ＭＨｚ）となっているため、チャンネル設定によらず同じ回路を使用することができる。
【００６３】
なお、上記実施形態では、受信変換ユニット１４ａ、１４ｂにおいて、ＲＦ段に周波数特性補正回路としてイコライザ２７のみを設けた場合について示したが、図４、図５の送信変換ユニット１５ａ、１５ｂに設けた周波数特性補正回路８６と同様に、パス回路と、アッテネータ、擬似線路網、イコライザを組み合わせて構成し、スイッチにより切替えて周波数特性を補正するようにしても良い。
【００６４】
また、本発明は、上記実施形態そのままに限定されるものではなく、実施段階ではその要旨を逸脱しない範囲で構成要素を変形して具体化できるものである。
【図面の簡単な説明】
【００６５】
【図１】本発明の一実施形態に係るデジタルテレビ放送中継装置の全体の構成を示すブロック図である。
【図２】同実施形態における受信変換ユニットの一部の構成を示すブロック図である。
【図３】同実施形態における受信変換ユニットの他の部分の構成を示すブロック図である。
【図４】同実施形態における送信変換ユニットの一部の構成を示すブロック図である。
【図５】同実施形態における送信変換ユニットの他の部分の構成を示すブロック図である。
【図６】同実施形態における周波数特性補正回路を構成する擬似線路網の周波数特性補正動作を説明するための図である。
【図７】同実施形態における周波数特性補正回路を構成するイコライザの周波数特性補正動作を説明するための図である。
【符号の説明】
【００６６】
１１ａ、１１ｂ…ＲＦ入力端子、１２ａ、１２ｂ…入力フィルタ、１３…送受信ユニット、１４ａ、１４ｂ…受信変換ユニット、１５ａ、１５ｂ…送信変換ユニット、１６ａ、１６ｂ…電力増幅器、１７…切替器、１８…出力フィルタ、１９…ＲＦ出力端子、２１…ＲＦ入力端子、２２…高周波増幅器、２３…分岐回路、２４、２６…ゲインコントロール回路、２５…高周波増幅器、２７…イコライザ（ＥＱ）、２８…ミキサ、３０…増幅器、３１…信号レベル検知部、３２…マイクロコンピュータ（マイコン）、３３、３５…直流増幅器、３４、３６…ドライバ、３７…入力端子、３８…局部発振回路、３９…アッテネータ、４１…ローパスフィルタ（ＬＰＦ）、４２、４４、４５、５１、５２、５６…中間周波増幅器、４３…ゲインコントロール回路、４６…直流増幅器、４７、４８、６１…ドライバ、５０…ＳＡＷフィルタ、５３…分岐回路、５４…ローパスフィルタ（ＬＰＦ）、５５…ゲインコントロール回路、５７、５８…分岐回路、５９…ＩＦ出力端子、６０…ＩＦモニタ端子、６２…増幅器、６３…ＡＧＣ検波器、６４、６６、７０……直流増幅器、６５…ＡＧＣ調整用可変抵抗器、６７、６８…ドライバ、６９…信号レベル検知部、８１…ＩＦ入力端子、８２…分岐回路、８３…中間周波増幅器、８４…ローパスフィルタ（ＬＰＦ）、８５…ゲインコントロール回路、８６…周波数特性補正回路、８７…ミキサ、９１ａ〜９１ｄ…パス回路（ＰＡＳＳ）、９２ａ〜９２ｄ…アッテネータ（ＡＴＴ）、９３ａ、９３ｂ…擬似線路網（ＢＯＮ）、９４ａ、９４ｂ…イコライザ（ＥＱ）、１０１…信号レベル検知部、１０２…マイクロコンピュータ（マイコン）、１０３…直流増幅器、１０４…ドライバ、１０５…入力端子、１０６…局部発振回路、１０７…アッテネータ、１１０…ローパスフィルタ（ＬＰＦ）、１１１、１１３…高周波増幅器、１１２…チャンネル・バンドパスフィルタ（ＣＨ・ＢＰＦ）、１１４…分岐回路、１１５…ゲインコントロール回路、１１６…高周波増幅器、１１７、１１８…分岐回路、１１９…ＲＦ出力端子、１２０…ＲＦモニタ端子、１２１、１２２、１３０…ドライバ、１２５…増幅器、１２６…ＡＧＣ検波器、１２７、１２９、１３２…直流増幅器、１２８…ＡＧＣ調整用可変抵抗器、１３１…信号レベル検知部。
【図１】
2007158812.tif 000003
【図２】
2007158812.tif 000004
【図３】
2007158812.tif 000005
【図４】
2007158812.tif 000006
【図５】
2007158812.tif 000007
【図６】
2007158812.tif 000008
【図７】
2007158812.tif 000009